(57)【要約】移動通信システムにおいて、ＵＥがＳＨＯ領域に進入する場合、前記ＵＥは、ノードＢから受信されるＤＰＣＨ信号及びＰＤＳＣＨ信号によってＤＰＣＨ及びＰＤＳＣＨに対する加重値情報を決定し、前記決定された加重値情報を前記ノードＢに伝送する。次に、前記ノードＢは、前記ＵＥから受信されたフィードバック情報によって前記ＵＥに伝送されるＤＰＣＨ信号及びＰＤＳＣＨ信号の加重値を決定し、前記決定された加重値をそれぞれ前記ＤＰＣＨ信号及びＰＤＳＣＨ信号に適用して前記ＵＥに伝送する。
2004511953.tif 000002
【特許請求の範囲】
【請求項１】
少なくとも２つのアンテナを有し、前記アンテナを通して送信されるデータのダイバーシティを制御するノードＢ装置において、
第１データを拡散して第１拡散信号を発生する第１拡散器と、
第２データを拡散して第２拡散信号を発生する第２拡散器と、
第１アンテナに対する第１加重値と前記第１拡散器から出力された前記第１拡散信号を乗算して第１加重拡散信号を発生する第１乗算器と、
第２アンテナに対する第２加重値と前記第１拡散器から出力された前記第１拡散信号を乗算して第２加重拡散信号を発生する第２乗算器と、
前記第１アンテナに対する第３加重値と前記第２拡散器から出力された前記第２拡散信号を乗算して第３加重拡散信号を発生する第３乗算器と、
前記第２アンテナに対する第４加重値と前記第２拡散器から出力された前記第２拡散信号を乗算して第４加重拡散信号を発生する第４乗算器と、
前記第１加重拡散信号と前記第３加重拡散信号を加算して前記第１アンテナを通して伝送する第１加算器と、
前記第２加重拡散信号と前記第４加重拡散信号を加算して前記第２アンテナを通して伝送する第２加算器と、
使用者端末機（ＵＥ）から受信されるフィードバック情報から前記第１乃至第４加重値を決定し、前記決定された第１乃至第４加重値をそれぞれ前記第１乃至第４乗算器に供給する加重値発生器と
を含むことを特徴とするノードＢ装置。
【請求項２】
前記フィードバック情報は、前記使用者端末機から受信されるアップリンク専用物理制御チャネル（ＵＬ＿ＤＰＣＣＨ）のフィードバック情報（ＦＢＩ）であることを特徴とする請求項１記載のノードＢ装置。
【請求項３】
前記第１データは、専用物理チャネル（ＤＰＣＨ）データであり、前記第２データは、物理ダウンリンク共有チャネル（ＰＤＳＣＨ）データであることを特徴とする請求項１記載のノードＢ装置。
【請求項４】
第１ノードＢと第２ノードＢとの間にソフトハンドオーバー遂行中の使用者端末機で、ノードＢから伝送されるデータのダイバーシティを制御する装置において、
受信される信号を第１拡散コードで逆拡散して第１逆拡散信号を出力する第１逆拡散器と、
前記受信される信号を第２拡散コードで逆拡散して第２逆拡散信号を出力する第２逆拡散器と、
前記第１逆拡散信号及び前記第２逆拡散信号を受信することによって専用物理チャネルに対する伝送アンテナアレイ（ＴｘＡＡ）加重値を生成する専用物理チャネル伝送アンテナアレイ加重値生成器と、
前記第１逆拡散信号及び前記第２逆拡散信号を受信することによって物理ダウンリンク共有チャネルに対する伝送アンテナアレイ加重値を生成する専用物理チャネル伝送アンテナアレイ加重値生成器と、
制御信号に応答して前記生成された専用物理チャネルに対する伝送アンテナアレイ加重値及び専用物理チャネルに対する伝送アンテナアレイ加重値を含むフィードバック情報を前記ノードＢに伝送する送信器と
を含むことを特徴とする装置。
【請求項５】
前記第１逆拡散信号は専用物理チャネル信号であり、前記第２逆拡散信号は専用物理チャネル信号であることを特徴とする請求項４記載の装置。
【請求項６】
移動通信システムで専用物理チャネルの伝送アンテナアレイを制御する方法において、
使用者端末機が現在通信している第１ノードＢと第２ノードＢとの間にソフトハンドオーバーを遂行中である場合、前記第２ノードＢは、前記使用者端末機に設定されるダウンリンク専用物理チャネル（ＤＬ＿ＤＰＣＨ）に対して時空間ブロックダイバーシティ（ＳＴＴＤ）モードまたは単一アンテナ（ＳＡ）モードを適用させて前記使用者端末機に伝送する過程と、
前記使用者端末機は、前記第１ノードＢから共通パイロットチャネル（ＣＰＩＣＨ）信号を受信して加重値を決定し、前記決定された加重値を前記第１ノードＢに対するアップリンク専用物理チャネル（ＵＬ＿ＤＰＣＨ）の加重値情報として伝送する過程と
を含むことを特徴とする方法。
【請求項７】
移動通信システムで専用物理チャネルの伝送アンテナアレイを制御する方法において、
使用者端末機が現在通信している第１ノードＢと第２ノードＢとの間にソフトハンドオーバーを遂行中である場合、前記第１ノードＢ及び第２ノードＢは、ダウンリンク専用物理チャネルに対して時空間ブロックダイバーシティモードまたは単一アンテナモードを適用させて前記使用者端末機に伝送する過程と、
前記第１ノードＢから前記使用者端末機に設定される専用物理チャネルに対して伝送アンテナアレイモードを適用させて前記使用者端末機に伝送する過程と、
前記使用者端末機は、前記第１ノードＢから専用物理チャネルを受信して加重値を決定し、前記決定された加重値を前記第１ノードＢに対するアップリンク専用物理チャネルの加重値情報として伝送する過程と
を含むことを特徴とする方法。
【請求項８】
前記第１ノードＢは、前記専用物理チャネル信号を復調するための専用パイロットチャネルとともに前記専用物理チャネルを伝送することを特徴とする請求項７記載の方法。
【請求項９】
移動通信システムで専用物理チャネルの伝送アンテナアレイを制御する方法において、
使用者端末機が現在通信している第１ノードＢと第２ノードＢとの間にソフトハンドオーバーを遂行中である場合、前記第１ノードＢは、前記使用者端末機に設定されている専用物理チャネルに対して時空間ブロックダイバーシティモードまたは単一アンテナモードを適用させて前記使用者端末機に伝送する過程と、
前記第１ノードＢ及び第２ノードＢは、前記使用者端末機に設定されているダウンリンク専用物理チャネルに対して伝送アンテナアレイモードを適用させて伝送する過程と、
前記使用者端末機は、前記第１ノードＢから受信される第１共通パイロットチャネル信号と第２ノードＢから受信される第２共通パイロットチャネル信号との間の位相差によって前記第１ノードＢ及び第２ノードＢに対するアップリンク専用物理チャネルの加重値を決定し、前記決定された加重値情報を前記第１ノードＢ及び第２ノードＢに対するアップリンク専用物理チャネルの加重値情報として伝送する過程と
を含むことを特徴とする方法。
【請求項１０】
移動通信システムで専用物理チャネルの伝送アンテナアレイを制御する方法において、
使用者端末機が現在通信している第１ノードＢと第２ノードＢとの間にソフトハンドオーバーを遂行中である場合、前記使用者端末機が前記第１ノードＢから伝送される専用物理チャネルに対するフィードバック情報を生成する過程と、
前記生成されたフィードバック情報を前記第１ノードＢに設定されているアップリンク専用物理制御チャネルとともに伝送する過程と
を含むことを特徴とする方法。
【請求項１１】
移動通信システムで専用物理チャネルの伝送アンテナアレイを制御する方法において、
使用者端末機が現在通信している第１ノードＢと第２ノードＢとの間にソフトハンドオーバーを遂行中である場合、前記使用者端末機は、前記第１ノードＢ及び第２ノードＢから受信されるダウンリンク専用物理チャネル信号を合計して加重値情報を決定する過程と、
前記使用者端末機は、前記第１ノードＢ及び第２ノードＢからそれぞれ受信される共通パイロットチャネルのパイロット信号レベルを比較し、前記比較結果によって１次ノードＢ を決定する過程と、
前記決定された１次ノードＢの識別子（ＩＤ）を前記使用者端末機から前記１次ノードＢ以外のノードＢに伝送する過程と、
前記１次ノードＢは、前記使用者端末機がソフトハンドオーバー領域に位置しない時と同一に伝送アンテナアレイモードを前記使用者端末機に適用する過程と
を含むことを特徴とする方法。
【請求項１２】
移動通信システムで専用物理チャネルの伝送アンテナアレイを制御する方法において、
使用者端末機が現在通信している第１ノードＢと第２ノードＢとの間にソフトハンドオーバーを遂行中である場合、前記使用者端末機は、前記第１ノードＢに既設定されている第１アップリンク専用物理制御チャネル以外に新しく前記第１ノードＢに第２アップリンク専用物理制御チャネルを設定する過程と、
前記第１アップリンク専用物理制御チャネルのフィードバック情報（ＦＢＩ）フィールドを通してダウンリンク専用物理チャネルの加重値情報を伝送する過程と、
前記第２アップリンク専用物理制御チャネルのＦＢＩフィールドを通して専用物理チャネルの加重値情報を伝送する過程と
を含むことを特徴とする方法。
【請求項１３】
前記専用物理チャネルのフィードバック情報は、前記使用者端末機に前記専用物理チャネルを伝送するノードＢから共通パイロットチャネル信号を測定して生成されることを特徴とする請求項１２記載の方法。
【請求項１４】
前記ダウンリンク専用物理チャネルのフィードバック情報は、前記使用者端末機の活性集合内のそれぞれのノードＢから伝送されるダウンリンク専用物理チャネルの閉ループアンテナ利得を調整するための情報であり、前記それぞれのノードＢから受信される共通パイロットチャネル信号を合計して生成されることを特徴とする請求項１２記載の方法。
【請求項１５】
移動通信システムで専用物理チャネルの伝送アンテナアレイを制御する方法において、
伝送アンテナアレイモードで専用物理チャネル（ＰＤＳＣＨ）／拡張専用物理チャネル（Ｅ−ＰＤＳＣＨ）信号が受信されるか否かを検査する過程と、
前記専用物理チャネル／拡張専用物理チャネル信号が受信されると、チャネル状態が最も良好であるノードＢを選択し、前記選択されたノードＢに対する加重値を割り当てる過程と、
時間的に順次にデータが同一のノードＢから受信されると、伝送アンテナアレイフィードバック情報レジスタ動作モードを調整する過程と、
前記伝送アンテナアレイフィードバック情報レジスタ動作モードを調整した後、前記データが受信される前に結果データによって前記専用物理チャネル／拡張専用物理チャネルを追加生成してフィードバックする過程と、
前記ノードＢから専用物理チャネル／拡張専用物理チャネルの受信が終了すると、前記動作モードを再び前記伝送アンテナアレイモードに転換する過程と
を含むことを特徴する方法。
【請求項１６】
前記受信されるデータが時間オフセットを有するか、または、前記同一のノードＢから受信されない場合、所定のオフセットまたは以前に他のノードＢに適用した結果データを使用して前記専用物理チャネル／拡張物理ダウンリンク共有チャネルを追加生成してフィードバックする過程をさらに含むことを特徴とする請求項１５記載の方法。
【請求項１７】
前記受信されるデータが時間的オフセットを有するか、または、前記同一のノードＢから受信されない場合、前記動作モードを伝送アンテナアレイモードから時空間ブロックダイバーシティモードまたは単一アンテナモードに転換する過程をさらに含むことを特徴とする請求項１５記載の方法。
【請求項１８】
移動通信システムで専用物理チャネルの伝送アンテナアレイを制御する方法において、
物理ダウンリンク共有チャネルサービングノードＢから、前記専用物理チャネルの伝送開始時点の所定の数のスロットの前に、前記専用物理チャネルの伝送開始時点に対する情報を特定のチャネルを通して使用者端末機に伝送する過程と、
前記特定のチャネル信号を受信すると、前記使用者端末機は、前記専用物理チャネル伝送開始情報を検出して前記物理ダウンリンク共有チャネルサービングノードＢの専用物理チャネルに対する加重値を生成する過程と、
受信される専用物理チャネル及び専用物理チャネルを参照して活性集合内のそれぞれのノードＢにアップリンク専用物理制御チャネル信号をフィードバックする過程と、
前記使用者端末機からフィードバックされたアップリンク専用物理制御チャネル信号を参照して前記物理ダウンリンク共有チャネルサービングノードＢによって伝送アンテナアレイモードを維持する過程と
を含むことを特徴とする方法。
【請求項１９】
前記活性集合内で前記専用物理チャネルを伝送せずに専用物理チャネルのみを伝送するノードＢは、前記使用者端末機からフィードバックされたアップリンク専用物理制御チャネル信号を参照して前記動作モードを時空間ブロックダイバーシティモードまたは単一アンテナモードに転換する過程をさらに含むことを特徴とする請求項１８記載の方法。
【請求項２０】
前記専用物理チャネルの伝送が終了すると、前記使用者端末機は、前記物理ダウンリンク共有チャネルサービングセルに対する加重値を除去して時空間ブロックダイバーシティモードまたは単一アンテナモードで動作する前記活性集合内のノードＢの動作モードを伝送アンテナアレイモードに転換する過程をさらに含むことを特徴とする請求項１９記載の方法。
【請求項２１】
少なくとも２つのアンテナを有し、前記アンテナを通して送信されるデータのダイバーシティを制御するノードＢ制御方法において、
使用者端末機から受信されるフィードバック情報から第１乃至第４加重値を決定する過程と、
第１データを拡散して第１拡散信号を発生する過程と、
第２データを拡散して第２拡散信号を発生する過程と、
第１アンテナに対する第１加重値と前記第１拡散信号を乗算して第１加重拡散信号を発生する過程と、
第２アンテナに対する第２加重値と前記第１拡散信号を乗算して第２加重拡散信号を発生する過程と、
前記第１アンテナに対する第３加重値と前記第２拡散信号を乗算して第３加重拡散信号を発生する過程と、
前記第２アンテナに対する第４加重値と前記第２拡散信号を乗算して第４加重拡散信号を発生する過程と、
前記第１加重拡散信号と前記第３加重拡散信号を加算して前記第１アンテナに伝送する過程と、
前記第２加重拡散信号と前記第４加重拡散信号を加算して前記第２アンテナに伝送する過程と
を含むことを特徴とする方法。
【請求項２２】
前記フィードバック情報は、前記使用者端末機から受信されるアップリンク専用物理制御チャネルのフィードバック情報であることを特徴とする請求項２１記載の方法。
【請求項２３】
前記第１データは専用物理チャネルデータであり、前記第２データは専用物理チャネルデータであることを特徴とする請求項２１記載の方法。
【請求項２４】
第１ノードＢと第２ノードＢとの間にソフトハンドオーバーを遂行中である使用者端末機で、ノードＢから送信されるデータのダイバーシティを制御する使用者端末機制御方法において、
受信される信号を第１拡散コードで逆拡散して第１逆拡散信号を出力する過程と、
前記受信される信号を第２拡散コードで逆拡散して第２逆拡散信号を出力する過程と、
前記第１逆拡散信号及び前記第２逆拡散信号を受信して専用物理チャネルに対する伝送アンテナアレイ加重値を生成する過程と、
前記第１逆拡散信号及び前記第２逆拡散信号を受信して専用物理チャネルに対する伝送アンテナアレイ加重値を生成する過程と、
制御信号を受けて前記生成された専用物理チャネルに対する伝送アンテナアレイ加重値及び前記専用物理チャネルに対する伝送アンテナアレイ加重値を含むフィードバック情報を前記ノードＢに伝送する過程と
を含むことを特徴とする方法。
【請求項２５】
前記第１逆拡散信号は専用物理チャネル信号であり、前記第２逆拡散信号は専用物理チャネル信号であることを特徴とする請求項２４記載の方法。
【発明の詳細な説明】
【０００１】
【発明の属する技術分野】
本発明は、移動通信システムに関し、特に、ソフトハンドオーバー領域で物理ダウンリンク共有チャネルの伝送アンテナアレイを制御する装置及び方法に関する。
【０００２】
【従来の技術】
一般的に、第３世代（３ｒｄ Ｇｅｎｅｒａｔｉｏｎ）移動通信方式の１つである非同期Ｗ−ＣＤＭＡ移動通信システムで使用される物理ダウンリンク共有チャネル（Ｐｈｙｓｉｃａｌ Ｄｏｗｎｌｉｎｋ Ｓｈａｒｅｄ Ｃｈａｎｎｅｌ：以下、ＰＤＳＣＨと称する）は、複数の使用者端末機（Ｕｓｅｒ Ｅｌｅｍｅｎｔ：以下、ＵＥと称する）が共有するチャネルである。前記ＰＤＳＣＨは、１０ｍｓラジオフレーム（Ｒａｄｉｏ Ｆｒａｍｅ）単位で前記ＵＥにパケットデータ（Ｐａｃｋｅｔ Ｄａｔａ）または高速データを送信するために割り当てられるチャネルであり、複数のＵＥによって共通に使用される。前記ＰＤＳＣＨは、フレーム単位で伝送データの伝送率を多様にすることができ、Ｗ−ＣＤＭＡシステムにおいて基地局（以下、ノードＢと称する）とＵＥとの間に設定される専用チャネル（Ｄｅｄｉｃａｔｅｄ Ｃｈａｎｎｅｌ：以下、ＤＣＨと称する）と同様に、スロット（ｓｌｏｔ）単位で伝送アンテナアレイの加重値調節及び電力制御（Ｐｏｗｅｒ Ｃｏｎｔｒｏｌ）を遂行することもできる。前記ラジオフレームは、Ｗ−ＣＤＭＡ方式において信号を伝送する基本単位で、長さは１０ｍｓであり、各ラジオフレームは、１５個のスロットから構成される。さらに、前記ＰＤＳＣＨは、使用者データ（Ｕｓｅｒ Ｄａｔａ）のみを伝送するチャネルである。前記ＰＤＳＣＨの電力制御のために前記ＰＤＳＣＨが前記ＵＥに割り当てられる時、前記ＰＤＳＣＨと共にダウンリンク専用物理チャネル（Ｄｏｗｎｌｉｎｋ Ｄｅｄｉｃａｔｅｄ Ｐｈｙｓｉｃａｌ Ｃｈａｎｎｅｌ ：以下、ＤＬ＿ＤＰＣＨと称する）が前記ＵＥに割り当てられる。ここで、前記ＤＬ＿ＤＰＣＨは、前記ＰＤＳＣＨの電力制御のためのチャネルになる。前記ＰＤＳＣＨは、複数のフレームの間に１つのＵＥへ連続的に伝送されることができ、１つのフレームを通して前記ＵＥに伝送されることもできる。さらに、前記ＵＥに前記フレームを伝送する時点は、上位階層のスケジューリング（ｓｃｈｅｄｕｌｉｎｇ）によって決定される。
【０００３】
前記ＰＤＳＣＨの構造及び前記ＰＤＳＣＨに対応して前記ＵＥに割り当てられる前記ＤＬ＿ＤＰＣＨの構造を図１Ａ及び図１Ｂを参照して説明する。図１Ａは、移動通信システムにおいて使用される前記ＰＤＳＣＨの構造を示し、図１Ｂは、前記ＰＤＳＣＨに対応して前記ＵＥに割り当てられるＤＬ＿ＤＰＣＨの構造を示す。
【０００４】
図１Ａを参照すると、前記ＰＤＳＣＨのラジオフレーム１０１は、１０ｍｓの長さを有し、Ｓｌｏｔ＃０乃至Ｓｌｏｔ＃１４の１５個のスロットから構成される。各スロット、例えば、スロットＳｌｏｔ＃ｉ（１０３）は、２５６０チップ（Ｃｈｉｐ）の長さを有し、前記Ｓｌｏｔ＃ｉ（１０３）を通して伝送される情報の量は、前記ＰＤＳＣＨスロットに使用される拡散率（Ｓｐｒｅａｄｉｎｇ Ｆａｃｔｏｒ：以下、ＳＦと称する）に反比例する。前記ＳＦは、４乃至２５６の値を有し、前記ＳＦ値によって伝送される情報データを拡散する。前記ＰＤＳＣＨを通しては前記使用者データのみが伝送される。
【０００５】
次に、図１Ｂを参照すると、図１Ａに示すように前記ＰＤＳＣＨを使用する場合、前記ノードＢによって前記ＰＤＳＣＨに対応する前記ＤＬ＿ＤＰＣＨが該当のＵＥに割り当てられる。前記ＤＬ＿ＤＰＣＨのラジオフレーム１１１もＳｌｏｔ＃０乃至Ｓｌｏｔ＃１４の１５個のスロットから構成され、各スロットは、図１Ｂに示すように、ＤＡＴＡ１ビット１１２、送信電力制御（Ｔｒａｎｓｍｉｔ Ｐｏｗｅｒ ｃｏｎｔｒｏｌ：以下、ＴＰＣと称する）ビット１１３、伝送フォーマット組合せ表示（ＴＦＣＩ：Ｔｒａｎｓｍｉｔ Ｆｏｒｍａｔ Ｃｏｍｂｉｎａｔｉｏｎ Ｉｎｄｉｃａｔｏｒ： 以下、ＴＦＣＩと称する）ビット１１４、ＤＡＴＡ２ビット１１５、及びＰＩＬＯＴビット１１６から構成される。前記ＤＬ＿ＤＰＣＨの各スロットは、前記ＤＡＴＡ１、ＴＰＣ、ＴＦＣＩ、ＤＡＴＡ２、ＰＩＬＯＴの長さによって多様な構造を有することができる。
【０００６】
前記ＤＡＴＡ１ビット１１２及びＤＡＴＡ２ビット１１５は、ダウンリンク専用物理データチャネル（Ｄｏｗｎｌｉｎｋ Ｄｅｄｉｃａｔｅｄ Ｐｈｙｓｉｃａｌ Ｄａｔａ Ｃｈａｎｎｅｌ：以下、ＤＬ＿ＤＰＤＣＨと称する）を通して伝送され、前記ＤＬ＿ＤＰＤＣＨは、使用者データ及び上位階層からのシグナリング（ｓｉｇｎａｌｉｎｇ）情報を伝送する。前記ＴＰＣ１１３、ＴＦＣＩ１１４、及びＰＩＬＯＴ１１６は、ダウンリンク専用物理制御チャネル（Ｄｏｗｎｌｉｎｋ Ｄｅｄｉｃａｔｅｄ Ｐｈｙｓｉｃａｌ Ｃｏｎｔｒｏｌ Ｃｈａｎｎｅｌ：以下、ＤＬ＿ＤＰＣＣＨと称する）を通して伝送される。前記ＴＰＣ１１３は、前記ＵＥから前記ノードＢに伝送されるアップリンクチャネルの送信電力を調節する命令語を伝送するフィールドであり、前記ＴＦＣＩ１１４は、前記ＤＬ＿ＤＰＣＨを通して相違する伝送率を有するトランスポートチャネル（ｔｒａｎｓｐｏｒｔ ｃｈａｎｎｅｌ）が伝送されることを示す符号語を伝送するフィールドであり、前記ＰＩＬＯＴ１１６は、前記ＵＥが受信されるダウンリンク信号の電力制御のためにダウンリンク信号の伝送電力を測定することを可能にするフィールドである。ここで、前記トランスポートチャネルは、実際前記データを伝送する物理チャネルを前記上位階層に連結するチャネルである。
【０００７】
Ｗ−ＣＤＭＡシステムにおいて、前記ＰＤＳＣＨの閉ループ伝送アンテナアレイのために、前記ＤＬ＿ＤＰＣＨ１１１を受信するＵＥは、前記ノードＢから受信される共通パイロットチャネル（Ｃｏｍｍｏｎ Ｐｉｌｏｔ Ｃｈａｎｎｅｌ：以下、ＣＰＩＣＨと称する）を測定して得られた加重値（ｗｅｉｇｈｔ）情報を前記ノードＢに伝送する。つまり、前記ＵＥは、前記ノードＢから伝送される前記ＣＰＩＣＨを受信すると、その位相差を補償して、最大の受信電力レベルに適した加重値を検出する。前記検出された加重値によって生成された加重値情報は前記ノードＢに伝送され、前記ノードＢは、前記ＵＥから受信されるＤＬ＿ＤＰＣＨ及び／またはＰＤＳＣＨの加重値情報によって、対応する加重値を前記ＵＥに伝送される前記ＤＬ＿ＤＰＣＨのそれぞれのアンテナに適用した後に伝送する。
【０００８】
図２を参照して、前記ＰＤＳＣＨを受信するＵＥがソフトハンドオーバー（ｓｏｆｔ ｈａｎｄｏｖｅｒ／ｓｏｆｔ ｈａｎｄｏｆｆ）領域に位置する場合、ダウンリンク及びアップリンク信号の流れを説明する。図２は、前記ＰＤＳＣＨを受信するＵＥがソフトハンドオーバー（Ｓｏｆｔ Ｈａｎｄｏｖｅｒ：以下、ＳＨＯと称する）領域に位置する場合、ダウンリンク及びアップリンク信号の流れを示し、説明の便宜のため、２つのノードＢのみを考慮する。
【０００９】
ソフトハンドオーバー過程において、ＵＥが現在通信中のノードＢ１から離れて、隣接した新しいノードＢ２から信号を受信することができる地域まで移動した時、前記ＵＥは、前記現在通信中のノードＢ１だけでなく、新しいノードＢ２からも信号を受信する。ここで、前記ＵＥは、前記ノードＢ１から受信される信号の品質（または、レベル）が所定の臨界水準に至らない場合、前記ノードＢ１に設定されているチャネルを解除した後、前記高品質の信号を提供するノードＢ２に新しいチャネルを設定することでハンドオーバー過程を遂行する。それによって、通話が中断されずに維持されることができる。
【００１０】
図２を参照すると、ＵＥ２１１と現在通信中のノードＢ１（２０１）は、前記ＵＥ２１１に前記ＰＤＳＣＨ及び前記ＰＤＳＣＨに対応するＤＬ＿ＤＰＣＨを伝送する。しかしながら、ノードＢ２（２０３）は、前記ＵＥ２１１が前記ノードＢ１（２０１）と前記ノードＢ２（２０３）との間のＳＨＯ領域に移動する時、前記ＵＥ２１１に前記ＤＬ＿ＤＰＣＨのみを伝送する。前記ＵＥ２１１が前記ＳＨＯ領域に存在する場合、前記ＵＥ２１１に信号を伝送するように設定される全てのノードＢの集合を活性集合（Ａｃｔｉｖｅ ｓｅｔ）と称する。つまり、前記ノードＢ１（２０１）は、前記ＵＥ２１１に前記ＤＬ＿ＤＰＣＨ及びＰＤＳＣＨの両方ともを伝送し、前記ノードＢ２（２０３）は、新しく前記活性集合にはいることになり、前記ＤＬ＿ＤＰＣＨのみを前記ＵＥ２１１に伝送する。前記ＵＥ２１１は、前記ノードＢ１（２０１）及び前記ノードＢ２（２０３）に前記ＵＬ＿ＤＰＣＨを無差別に同報通信する。従来の技術において、前記ＵＥ２１１がＳＨＯ領域に進入すると、前記ＵＥ２１１は、前記ノードＢ１（２０１）及び前記ノードＢ２（２０３）からＣＰＩＣＨを受信し、前記ＣＰＩＣＨの信号強度を測定して前記ノードＢのうち第１ノードＢを選択する。前記ＵＥ２１１は、ＵＬ＿ＤＣＨのフィードバック情報（Ｆｅｅｄｂａｃｋ Ｉｎｆｏｒｍａｔｉｏｎ：以下、ＦＢＩと称する）フィールドを通して１次（Ｐｒｉｍａｒｙ）ノードＢとして指定されたノードＢの臨時識別子を伝送する。前記ＦＢＩは、図１Ｃに示すように、２フィールドの長さを有する。図１Ｃを参照すると、参照番号５０１は、ＳＳＤＴ（Ｓｉｔｅ Ｓｅｌｅｃｔｉｏｎ Ｄｉｖｅｒｓｉｔｙ Ｔｒａｎｓｍｉｓｓｉｏｎ：以下、ＳＳＤＴと称する）を適用する時、前記ＵＥ２１１が前記ノードＢに伝送する前記ＦＢＩフィールドのＳフィールドを示す。参照番号５０３は、送信アンテナダイバーシティを適用する時に前記ＵＥがノードＢに伝送する前記ＦＢＩのＤフィールドを示す。前記Ｓフィールド５０１は、０、１、または２ビットから構成される。前記Ｓフィールドが０ビットから構成される場合は、前記ＳＳＤＴが使用されないことを意味する。前記ＳＳＤＴが使用される場合、前記ＦＢＩフィールドは、１次ノードＢの臨時識別子を表現する符号語を伝送する。前記Ｄフィールド５０３は、０、１、または２ビットから構成される。前記Ｄフィールド５０３が０ビットから構成される場合は、送信アンテナダイバーシティが使用されないことを意味する。１ビットである場合は、前記送信アンテナダイバーシティが前記ＳＳＤＴと共に使用され、２ビットである場合は、送信アンテナダイバーシティのみが適用される。
【００１１】
前記ノードＢ１（２０１）から前記ＰＤＳＣＨを受信する前記ＵＥ２１１が前記ＳＨＯ領域に位置する場合、前記ＵＥ２１１が前記ノードＢ１（２０１）からは前記ＰＤＳＣＨ及び前記ＤＬ＿ＤＰＣＨの両方を受信するが、前記ノードＢ２（２０３）からは前記ＤＬ＿ＤＰＣＨのみを受信することで問題が発生する。ここで、前記ＰＤＳＣＨが前記ＳＨＯを支援しない代表的な理由は、前記ＰＤＳＣＨが前記ＤＬ＿ＤＰＣＨに比べて相対的に高速伝送率でデータを伝送するため、前記ノードＢのチャネル資源が多く使用され、その結果、システム容量に影響を与えるようになることである。さらに、Ｗ−ＣＤＭＡ移動通信システムは、前記ノードＢ間の非同期のため、タイミングの問題が発生する可能性がある。前記ＰＤＳＣＨは複数のＵＥが共通的に使用するチャネルであるので、前記ＳＨＯを支援するためには、前記それぞれのＵＥによって使用される時点に対する精巧なスケジューリングが必要になる。前記スケジューリングを考慮して前記新しいノードＢから前記ＵＥへの前記ＰＤＳＣＨの伝送を具現することは大変である。
【００１２】
前記ノードＢ１（２０１）及び前記ノードＢ２（２０３）からそれぞれ伝送される前記ＤＬ＿ＤＰＣＨは、前記ＵＥ２１１に受信されてソフトコンバイニング（Ｓｏｆｔ Ｃｏｍｂｉｎｉｎｇ）される。ここで、前記ソフトコンバイニングは、前記ＵＥ２１１と異なる経路を通して受信された信号を結合することを意味する。従って、前記ノードＢから受信される前記ＣＰＩＣＨ間の位相差を計算した後、前記位相差を補償することによって、前記ＵＥ２１１に受信された信号に影響を与えるフェーディング（ｆａｄｉｎｇ）及び雑音（ｎｏｉｓｅ）の影響を減少させることができるようになる。前記ソフトコンバイニングは、前記ＵＥ２１１が相違するノードＢから同一の情報を受信する時のみに可能である。しかしながら、前記ＵＥ２１１が前記ノードＢから相違する情報を受信する時は、前記ソフトコンバイニングが遂行されても、前記受信された情報が雑音成分として認識されるので、信号に雑音成分が増加する結果になる。
【００１３】
前記ＤＬ＿ＤＰＣＨの解析の過程において、それぞれのノードＢ、つまり、ノードＢ１（２０１）及びノードＢ２（２０３）から前記ＵＥ２１１に伝送されるダウンリンク信号は、図１Ｂに示すＴＰＣビット１１３を除いてソフトコンバイニングされる。前記ＴＰＣ１１３がソフトコンバイニングによって解析されずに別に解析される理由は、前記ＵＥ２１１が移動するため、前記ＵＥ２１１から前記ノードＢ１（２０１）に受信される信号はレベルが高いが、前記ＵＥ２１１から前記ノードＢ２（２０３）に受信される信号はレベルが低いケースが発生するか、または、その反対のケースが発生することによって、前記それぞれのノードＢから前記ＵＥ２１１に受信されるＴＰＣが相違する可能性があるということである。従って、前記ＴＰＣ１１３は、ソフトコンバイニングされずに、前記複数のノードＢのための別のＴＰＣ解析アルゴリズムを通して解析される。
【００１４】
図２を参照して、前記ＵＥが前記ＳＨＯ領域に位置する場合におけるダウンリンク及びアップリンク信号に関して説明した。次に、前記ＳＨＯを支援する伝送アンテナアレイ（Ｔｒａｎｓｍｉｔ Ａｎｔｅｎｎａ Ａｒｒａｙ：以下、ＴｘＡＡと称する）の動作を図３を参照して説明する。
図３は、従来のソフトハンドオーバー方式を使用する伝送アンテナアレイの動作を示す図である。図３を参照すると、ＵＥ３１１が通信中に移動して前記ＳＨＯ領域に位置する場合、通話サービスのソフトハンドオーバーのために、前記ＵＥ３１１に信号を送信するノードＢ１（３０１）及びノードＢ２（３０３）は、自分の送信電力を低減させ、同時に、前記ＵＥ３１１は、ＳＩＮＲ（Ｓｉｇｎａｌ−ｔｏ−Ｉｎｔｅｒｆｅｒｅｎｃｅ＋Ｎｏｉｓｅ Ｒａｔｉｏ）が最大になるように前記両方のノードＢから伝送されるＣＰＩＣＨ間の位相差を利用して加重値を計算した後、前記加重値を前記ノードＢ１（３０１）及び前記新しいノードＢ２（３０３）のＤＬ＿ＤＰＣＨ及びＰＤＳＣＨを通して前記ノードＢ１（３０１）及び前記新しいノードＢ２（３０３）にフィードバックする。
【００１５】
前記ＵＥ３１１は、図３に示すアップリンク専用物理チャネル（Ｕｐｌｉｎｋ Ｄｅｄｉｃａｔｅｄ Ｐｈｙｓｉｃａｌ Ｃｈａｎｎｅｌ：以下、ＵＬ＿ＤＰＣＨと称する）のＦＢＩフィールドを通して前記ノードＢに伝送される前記加重値と、前記ノードＢ１（３０１）及び前記ノードＢ２（３０３）から受信された信号をソフトコンバイニングした後、前記ソフトコンバイニングされた受信信号のＳＩＮＲが最大になるように前記加重値を決定する。つまり、前記ＵＥ３１１は、前記ノードＢ１（３０１）及び前記ノードＢ２（３０３）から受信された前記信号をソフトコンバイニングし、前記ＳＩＮＲが最大になるように前記受信信号の前記フィードバック加重値を決定するので、前記ＳＨＯ領域において１つのノードＢ、例えば、最高の受信信号レベルを有する前記ノードＢ１（３０１）のみが前記信号を送信するように規定されている前記ＰＤＳＣＨの最適の加重値を適用する従来の方法は、以下のような問題点がある。
【００１６】
前記ＵＥ３１１が前記ＳＨＯ領域外に位置する場合、前記ＵＥ３１１に伝送される前記ＰＤＳＣＨ及び前記ＤＬ＿ＤＰＣＨの伝送アンテナ加重値は、互いに同一である。つまり、前記ＰＤＳＣＨ伝送アンテナアレイ加重値は、前記ＤＬ＿ＤＰＣＨに連動されて決定される。前記ＰＤＳＣＨが同一のチャネルを通して送信されるので、前記ＤＬ＿ＤＰＣＨの２つのアンテナの位相及びサイズの比の変化によって前記加重値が同一に変更される。そのような理由で、前記ＰＤＳＣＨの加重値は、関連したＤＬ＿ＤＰＣＨの加重値を使用する。
【００１７】
しかしながら、前記ＵＥ３１１が前記ＳＨＯ領域に位置すると、前記ＵＥ３１１に前記ＰＤＳＣＨを送信するノードＢだけでなく、前記活性集合内の他のノードＢからの前記ＣＰＩＣＨ間の位相差を測定して決定された前記加重値を利用して、前記ＰＤＳＣＨ及び前記ＤＬ＿ＰＤＳＣＨの伝送アンテナアレイが同一に決定される。特に、図３を参照して説明すると、前記ＰＤＳＣＨの伝送アンテナアレイ加重値は、前記ＵＥ３１１と最高の受信信号レベルを有するノードＢ、つまり、前記ノードＢ１（３０１）との間のチャネル環境を考慮して決定されるが、前記ＤＬ＿ＤＰＣＨの伝送アンテナアレイ加重値は、最高の受信信号レベルを有するノードＢ１（３０１）だけでなく、前記ＵＥ３１１の活性集合内の前記ノードＢ２（３０３）とのチャネル環境も考慮して決定される。
【００１８】
前述したように、前記従来のＳＨＯ方式による前記ＰＤＳＣＨの伝送アンテナ加重値は、前記ＤＬ＿ＤＰＣＨの伝送アンテナ加重値と同一の値を使用するように提案されているので、前記のような問題が発生する。つまり、前記ＳＨＯ領域において、前記ノードＢから前記ＵＥ３１１に伝送される加重値は、前記ＵＥ３１１と前記ノードＢ１（３０１）との間のチャネル環境だけでなく、前記ＵＥ３１１と前記ノードＢ２（３０３）との間のチャネル環境を考慮して決定される。従って、前記加重値をそのまま適用すると、前記ＰＤＳＣＨには実際伝送アンテナアレイの加重値と相違する加重値が提供されるという問題点が発生する。従って、前記ＳＨＯ領域外で前記ＤＬ＿ＤＰＣＨ及び前記ＰＤＳＣＨに使用された加重値と同一の加重値を前記伝送アンテナアレイに適用する方法は、前記ＳＨＯ領域において使用することができない。従って、前記ＳＨＯ領域において前記ＰＤＳＣＨの伝送アンテナアレイを適切に制御する装置及び方法が要求される。
【００１９】
【発明が解決しようとする課題】
従って、本発明の目的は、ＳＨＯ領域においてＵＥによってＰＤＳＣＨの伝送アンテナアレイを制御する装置及び方法を提供することにある。
本発明の他の目的は、ＳＨＯ領域においてＵＥによってＰＤＳＣＨダイバーシティ方式に対する最適の加重値を決定してＰＤＳＣＨの伝送アンテナアレイを制御する装置及び方法を提供することにある。
本発明のまた他の目的は、ＳＨＯ領域においてＰＤＳＣＨを受信するＵＥによってＵＬ＿ＤＰＣＣＨのＦＢＩ Ｄ−フィールドを利用して前記ＰＤＳＣＨの伝送アンテナアレイを制御する装置及び方法を提供することにある。
【００２０】
本発明のまた他の目的は、ＳＨＯ領域においてＰＤＳＣＨを受信するＵＥによってＤＬ＿ＤＰＣＨと連動されないように前記ＰＤＳＣＨに対して相違する伝送アンテナダイバーシティ方式を使用してＰＤＳＣＨ伝送アンテナアレイを制御する装置及び方法を提供することにある。
本発明のまた他の目的は、ＳＨＯ領域においてＰＤＳＣＨ及びＤＬ＿ＤＰＣＨを共に伝送するノードＢは伝送アンテナアレイを使用し、ＤＬ＿ＤＰＣＨのみを伝送する他のノードＢは時空間ブロックダイバーシティのような開ループ伝送アンテナダイバーシティ方式を使用する装置及び方法を提供することにある。
【００２１】
本発明のまた他の目的は、ＳＨＯ領域においてＰＤＳＣＨ及びＤＬ＿ＤＰＣＨを共に伝送するノードＢは伝送アンテナアレイを使用し、ＤＬ＿ＤＰＣＨのみを伝送する他のノードＢは伝送アンテナダイバーシティを使用せずに単一アンテナを使用する装置及び方法を提供することにある。
本発明のまた他の目的は、ＳＨＯ領域においてＰＤＳＣＨを受信するＵＥがＰＤＳＣＨハンドオーバーされる場合、ノードＢによって伝送アンテナダイバーシティモードを変換する方法を提供することにある。
【００２２】
本発明のまた他の目的は、ＰＤＳＣＨを受信するＵＥがＳＨＯ領域に位置する場合、ＰＤＳＣＨのためのフィードバック情報及びＤＰＣＣＨのためのフィードバック情報を別途のＵＬ＿ＤＰＣＣＨを通して伝送する方法を提供することにある。
本発明のまた他の目的は、ＳＨＯ領域においてＥ−ＰＤＳＣＨ（Ｅｎｈａｎｃｅｄ ＰＤＳＣＨ）を通して時間的に順次に同一のノードＢからデータが受信されるか否かを判断して前記Ｅ−ＰＤＳＣＨを適切に制御する方法を提供することにある。
本発明のまた他の目的は、ＳＨＯ領域においてＰＤＳＣＨの伝送時点を予め認知し、前記ＰＤＳＣＨを伝送するノードＢに対する加重値を別に適用して前記ＰＤＳＣＨを伝送するノードＢが伝送アンテナアレイ動作モードで動作するように制御する方法を提供することにある。
【００２３】
【課題を解決するための手段】
前記のような目的を達成するための本発明は、少なくとも２つのアンテナを有し、前記アンテナを通して送信されるデータのダイバーシティを制御するノードＢ装置を提供する。前記装置は、第１データを拡散して第１拡散信号を発生する第１拡散器と、第２データを拡散して第２拡散信号を発生する第２拡散器と、第１アンテナに対する第１加重値と前記第１拡散器から出力された前記第１拡散信号を乗算して第１加重拡散信号を発生する第１乗算器と、第２アンテナに対する第２加重値と前記第１拡散器から出力された前記第１拡散信号を乗算して第２加重拡散信号を発生する第２乗算器と、前記第１アンテナに対する第３加重値と前記第２拡散器から出力された前記第２拡散信号を乗算して第３加重拡散信号を発生する第３乗算器と、前記第２アンテナに対する第４加重値と前記第２拡散器から出力された前記第２拡散信号を乗算して第４加重拡散信号を発生する第４乗算器と、前記第１加重拡散信号と前記第３加重拡散信号を加算して前記第１アンテナを通して伝送する第１加算器と、前記第２加重拡散信号と前記第４加重拡散信号を加算して前記第２アンテナを通して伝送する第２加算器と、使用者端末機（ＵＥ）から受信されるフィードバック情報から前記第１乃至第４加重値を決定し、前記決定された第１乃至第４加重値をそれぞれ前記第１乃至第４乗算器に供給する加重値発生器と、から構成される。
【００２４】
【発明の実施の形態】
以下、本発明に従う好適な実施形態について添付図を参照しつつ詳細に説明する。下記の説明において、本発明の要旨のみを明確にする目的で、関連した公知機能または構成に関する具体的な説明は省略する。
図４Ａは、本発明の第１実施形態による伝送ダイバーシティ制御過程を示す図である。図４Ｂは、本発明の第２実施形態による伝送ダイバーシティ制御過程を示す図である。図４Ｃは、本発明の第３実施形態による伝送ダイバーシティ制御過程を示す図である。図４Ｄは、本発明の第４実施形態による伝送ダイバーシティ制御過程を示す図である。図４Ｅは、本発明の第５実施形態による伝送ダイバーシティ制御過程を示す図である。図４Ｆは、本発明の他の実施形態を遂行するための伝送アンテナアレイチャネル測定装置の内部構成を示す図である。
【００２５】
図４Ａ乃至図４Ｆの説明において、便宜のため、前記活性集合内のノードＢの個数は２つにする。前記ノードＢは、非同期方式のＷ−ＣＤＭＡシステムに使用され、同期方式のＣＤＭＡ−２０００におけるＢＴＳ（Ｂａｓｅ ｓｔａｔｉｏｎ Ｔｒａｎｓｃｅｉｖｅｒ Ｓｕｂｓｙｓｔｅｍ）と同一に動作する。
図４Ａを参照すると、現在ＵＥ４１１と通信しているノードＢ１（４０１）は、前記ＵＥ４１１に前記ＤＬ＿ＤＰＣＨ及び前記ＰＤＳＣＨを共に伝送する。前記ＵＥ４１１の活性集合に新しく含まれたノードＢ２（４０３）は、前記ＵＥ４１１がＳＨＯ領域に位置する場合、前記ＵＥ４１１に前記ＤＬ＿ＤＰＣＨのみを伝送する。前記ＵＥ４１１は、前記ノードＢ１（４０１）から前記ＰＤＳＣＨ及び前記ＤＬ＿ＤＣＨを共に受信するが、前記ノードＢ２（４０３）からは前記ＤＬ＿ＤＰＣＨのみを受信する。前記ＵＥ４１１は、前記ノードＢ１（４０１）に前記ＵＬ＿ＤＰＣＨに含まれたＦＢＩを伝送する。
【００２６】
図４Ａにおいて、前記ＵＥ４１１は、前記ＳＨＯ領域に位置し、新しいノードＢ、つまり、前記活性集合内のノードＢ２（４０３）がＤＬ＿ＤＰＣＨ信号をＴｘＡＡモードで伝送することができても、時空間ブロックダイバーシティ（Ｓｐａｃｅ Ｔｉｍｅ ｂｌｏｃｋ ｃｏｄｅｄ Ｔｘ Ｄｉｖｅｒｓｉｔｙ：以下、ＳＴＴＤと称する）または単一アンテナ（Ｓｉｎｇｌｅ Ａｎｔｅｎｎａ：以下、ＳＡと称する）モードで伝送するように設定する。
【００２７】
開ループ（ｏｐｅｎ ｌｏｏｐ）アンテナダイバーシティ方式の一種である前記ＳＴＴＤは、フィードバック動作が遂行されないので、前記両方のノードＢからのＣＰＩＣＨのソフトコンバイニングによるＰＤＳＣＨ信号の損失がない。さらに、前記ＳＡは、１つのアンテナを使用するので、ダイバーシティを使用しない。前記ＵＬ＿ＤＰＣＣＨ情報のうち、ＦＢＩ Ｄ−フィールドのＴｘＡＡ加重値情報は、実際前記ノードＢ１（４０１）のみに有効である。従って、前記加重値情報は、前記ノードＢ１（４０１）から伝送された前記ＣＰＩＣＨによって計算される。これは、従来のＳＨＯ方式において、前記ＵＥ４１１が現在通信中のノードＢ１（４０１）及び前記活性集合に新しく追加されたノードＢ２（４０３）の両方ともをＴｘＡＡ伝送を遂行するようにして、前記ノードＢ１（４０１）及び前記ノードＢ２（４０３）から受信された情報をコンバイニングして決定された情報から加重値を計算し、前記計算された加重値を前記ノードＢ１（４０１）のＰＤＳＣＨ加重値として適用するからである。従って、本発明は、前記ＤＬ＿ＤＰＣＨの伝送アンテナ加重値と同一の値に設定されているＰＤＳＣＨが前記ノードＢ１（４０１）及び前記ノードＢ２（４０３）の両方で同一に使用された場合、実際の加重値と前記計算された加重値との差によって、従来のシステムにおいて前記ＰＤＳＣＨのＴｘＡＡ動作が前記ＳＨＯ領域では適した性能を見せないという問題点を解決することができる。
【００２８】
従って、前記ノードＢ１（４０１）から送信される前記ＰＤＳＣＨが前記ノードＢ２（４０３）にハンドオーバーを完了すると、図４Ａに示すように、前記ノードＢ２（４０３）からの前記ＤＬ＿ＤＰＣＨが前記ＰＤＳＣＨとともにＴｘＡＡモードで送信され、前記ノードＢ１（４０１）に残された前記ＤＬ＿ＤＰＣＨは、ＴｘＡＡモードから前記ＳＴＴＤモードまたはＳＡモードに転換される。一方、前記ＳＡモード及び前記ＳＴＴＤモードが同一のノードＢで共に使用することができる場合は、前記ＳＡモードより前記ＳＴＴＤモードを使用することが好適である。これは、伝送率が低すぎない場合は、前記ＳＴＴＤ方式が前記ＴｘＡＡ方式のダイバーシティ効果より優秀であるか同一のダイバーシティ効果を有するからである。前記伝送率が低速であっても、前記ＴｘＡＡ方式に比べて前記ＳＴＴＤ方式は最大２ｄＢのＳＩＮＲが低下するが、ハードウェア構成はより単純になる。
【００２９】
一方、本発明の第１実施形態において、前記ＵＥ４１１の転換動作を前記ＳＨＯ領域においてＰＤＳＣＨ受信時点での情報テーブルでみると、表１に示すように、前記ＰＤＳＣＨサービングセル以外のノードＢのＤＰＣＨは、前記ＳＴＴＤまたはＳＡモードで信号を伝送し、前記ＰＤＳＣＨサービングセルの前記ＰＤＳＣＨ及び前記ＤＰＣＨは継続して前記ＴｘＡＡモードで動作する。つまり、前記ＵＥ４１１は、前記ＰＤＳＣＨが伝送される５スロットの前に、前記ＰＤＳＣＨ伝送開始情報を含む前記ＤＰＣＨのＴＦＣＩを前記ＰＤＳＣＨサービングセルから受信する。前記ＵＥ４１１は、前記ＰＤＳＣＨサービングセルから前記ＴＦＣＩを受信すると、前記ＰＤＳＣＨがその伝送の前に受信されることを認知することができる。従って、前記ＵＥ４１１は、前記ＰＤＳＣＨを受信する所定のスロットの前に、前記ＰＤＳＣＨサービングセルのみに適する加重値を別に生成し、前記ＵＬ＿ＤＰＣＨのＦＢＩを利用して前記生成された加重値をフィードバックさせる。
【００３０】
より具体的に説明すると、前記ＳＨＯ領域内のＵＥは、伝送条件によって前記ＤＰＣＨ、または、前記ＰＤＳＣＨが含まれたＤＰＣＨを受信する。前記ＵＥは、前記ノードＢから前記ＤＰＣＨとともに前記ＰＤＳＣＨを受信すると、前記活性集合内のそれぞれのノードＢに前記ＵＬ＿ＤＰＣＨのＦＢＩをフィードバックさせる。そうすると、前記ＰＤＳＣＨを含む前記ＤＰＣＨを伝送するノードＢは、前記ＦＢＩ情報を利用して継続して前記ＴｘＡＡモードで動作し、単純に前記ＤＰＣＨのみを伝送する他のノードＢは、前記ＦＢＩ情報を利用せずに前記ＤＰＣＨを前記ＳＴＴＤまたはＳＡモードで動作する。前記ＳＡモードは、前記ＦＢＩを無視するか、または、以前の値を使用することによって前記ダイバーシティ利得を得られない前記ＴｘＡＡモードを含む。さらに、前記ＰＤＳＣＨ伝送が終了すると、前記ＳＴＴＤまたはＳＡモードで動作した非ＰＤＳＣＨサービングセルのモードが前記ＴｘＡＡモードに復帰し、前記ＵＥは、前記ノードＢから伝送される前記ＣＰＩＣＨ間の位相差を利用して加重値を計算した後、前記ノードＢに前記計算された加重値をフィードバックさせるＰＤＳＣＨ伝送の以前の状態に復帰する。
【００３１】
【表１】
2004511953.tif 000003
【００３２】
ここで、前記ＳＴＴＤ方式は、開ループモードアンテナ伝送ダイバーシティ方式の一種であり、それぞれ伝送ダイバーシティ符号化区間Ｔ１及びＴ２にシンボルＳ１及びＳ２が順に入力されるように構成されたフォーマットを有するデータ信号Ａに対してＳＴＴＤ符号化（ｅｎｃｏｄｉｎｇ）が遂行されると、前記連続したシンボルＳ１Ｓ２は、第１アンテナを通してＳ１Ｓ２として出力され、第２アンテナを通して−Ｓ２＊Ｓ１＊として出力される。前記説明したシンボルＳＴＴＤ符号化をチャネルビット単位で再び説明すると、前記ＳＴＴＤ符号化において説明したように、前記伝送ダイバーシティ符号化時区間で受信されたシンボルＳ１及びＳ２がそれぞれｂ０ｂ１及びｂ２ｂ３のチャネルビットで生成されたと仮定する場合、前記受信されたシンボルＳ１Ｓ２はチャネルビットｂ０ｂ１ｂ２ｂ３になる。前記チャネルビットｂ０ｂ１ｂ２ｂ３が前記ＳＴＴＤ符号化された後、チャネルビットｂ０ｂ１ｂ２ｂ３（Ｓ１Ｓ２）は前記第１アンテナを通して出力され、チャネルビット−ｂ２ｂ３ｂ０−ｂ１（−Ｓ２＊Ｓ１＊）は前記第２アンテナを通して出力される。ここで、前記第１アンテナは基準アンテナであり、前記第２アンテナ２はダイバーシティアンテナである。
【００３３】
図４Ｂを参照すると、前記ＰＤＳＣＨを含むダウンリンクチャネルが連結されているＵＥ４３１が前記ＳＨＯ領域に進入すると、前記ＤＬ＿ＤＰＣＨはノードＢ１（４２１）及びノードＢ２（４２３）に関係なく前記ＳＴＴＤまたはＳＡモードで伝送される。前記ノードＢ１（４２１）のみで伝送される前記ＰＤＳＣＨは、前記ＴｘＡＡモードで伝送される。つまり、前記ＤＬ＿ＤＰＣＨの性能は減少しても、データの伝送に利用される前記ＰＤＳＣＨのみに前記ＴｘＡＡを利用することによって、全体的な前記ＰＤＳＣＨ信号の損失が減少してデータの伝送の信頼性を保障することができるようになる。ここで、前記ノードＢ１（４２１）からの前記ＤＬ＿ＤＰＣＨに含まれた専用パイロットチャネルは、ＰＤＳＣＨ復調のための情報を付加的に含むべきである。前記専用パイロットチャネルに関しては、前記ＰＤＳＣＨ復調のための情報を付加的に含む方法は、ＴＤＭ（Ｔｉｍｅ Ｄｉｖｉｓｉｏｎ Ｍｕｌｔｉｐｌｅｘｉｎｇ）／ＣＤＭ（Ｃｏｄｅ Ｄｉｖｉｓｉｏｎ Ｍｕｌｔｉｐｌｅｘｉｎｇ）／ＦＤＭ（Ｆｒｅｑｕｅｎｃｙ Ｄｉｖｉｓｉｏｎ Ｍｕｌｔｉｐｌｅｘｉｎｇ）／Ｓｐａｃｅ Ｔｉｍｅ Ｃｏｄｅｄ−ＤＭ／ａｄｄｉｔｉｏｎａｌ ｏｒ ｆｉｅｌｄ ｍｏｄｉｆｙｉｎｇ方法などがある。前記ＰＤＳＣＨを受信する前記ＵＥが低速の伝送率を有するとする場合、ＴＤＭを考慮することが望ましい。
【００３４】
本発明の第２実施形態において、前記ＵＥ４３１の転換動作を前記ＳＨＯ領域で前記ＰＤＳＣＨ受信時点における情報テーブルで見ると、表２に示すように、前記ＤＬ＿ＤＰＣＨは、前記ノードＢ１（４２１）及び前記ノードＢ２（４２３）に関係なく前記ＳＴＴＤまたはＳＡモードで伝送されるが、前記ノードＢ１（４２１）のみによって伝送される前記ＰＤＳＣＨは、前記ＵＬ＿ＤＰＣＨのＦＢＩを利用して前記ＴｘＡＡモードで伝送される。ここで、前記ＵＥ４３１は、前記ＰＤＳＣＨの伝送の５スロット前に、伝送開始に対する情報を含むＴＦＣＩをＰＤＳＣＨサービングセルから受信し、その伝送の前に前記ＰＤＳＣＨが受信されることを認知する。従って、前記ＵＥ４３１は、前記ＰＤＳＣＨを受信する所定のスロットの前に前記ＰＤＳＣＨサービングセルに適する加重値を生成してフィードバックさせる。さらに、前記ＰＤＳＣＨの伝送が終了してから前記ＤＰＣＨのみを受信する場合、前記ＰＤＳＣＨ伝送の以前の状態に復帰する。
【００３５】
【表２】
2004511953.tif 000004
【００３６】
図４Ｃを参照すると、ノードＢ１（４４１）から前記ＰＤＳＣＨを受信するＵＥ（４５１）が前記ＳＨＯ領域に進入する場合、前記ＰＤＳＣＨを伝送する前記ノードＢ１（４４１）は、前記ＰＤＳＣＨが前記ＴｘＡＡモードで動作したとしても、前記ＳＴＴＤまたはＳＡモードで動作するように設定される。勿論、この場合、前記ＤＬ＿ＤＰＣＨは、前記ノードＢ１（４４１）及びノードＢ２（４４３）に関係なく前記ＴｘＡＡモードで動作する。前記ＰＤＳＣＨは前記ＳＴＴＤまたはＳＡモードより前記ＴｘＡＡモードにおいて優秀な性能を見せる。しかしながら、前記ＳＨＯ領域において、前記ＴｘＡＡは２つのノードＢ、つまり、前記ノードＢ１（４４１）及び前記ノードＢ２（４４３）から計算された加重値を適用するので、前記加重値が実際適用されるべき加重値と相違する場合は、適しない加重値適用の問題、及びフィードバック誤謬及び遅延誤謬などの問題がさらに発生し、前記ＳＡ方式と比べて性能が低下する。従って、前記ＴｘＡＡモードより前記ＳＴＴＤまたはＳＡモードで前記ＰＤＳＣＨが動作するようにすることが望ましい。しかしながら、この場合、前記ＤＰＣＨのために前記ＴｘＡＡを使用することによって、ＤＰＣＨの伝送量やＱｏＳ（Ｑｕａｌｉｔｙ ｏｆ Ｓｅｒｖｉｃｅ）が高い場合に優秀な性能をみせる。
【００３７】
本発明の第３実施形態において、ＵＥ４５１の転換動作を前記ＳＨＯ領域においてＰＤＳＣＨ受信時点における情報テーブルによって示すと、表３のように、前記ＤＬ＿ＤＰＣＨは、ノードＢ１（４４１）及びノードＢ２（４４３）に関係なく前記ＴｘＡＡモードで伝送されるが、前記ノードＢ１（４４１）のみによって伝送される前記ＰＤＳＣＨは、前記ＳＴＴＤまたはＳＡモードで伝送される。ここで、前記ＵＥ４５１は、前記ノードＢから伝送される前記ＣＰＩＣＨ間の位相差を利用して加重値を前記同一の方式によって計算する。さらに、前記ＰＤＳＣＨの伝送が終了した後、前記ＤＰＣＨのみが受信される場合、ＰＤＳＣＨ伝送の以前の状態に復帰する。
【００３８】
【表３】
2004511953.tif 000005
【００３９】
図４Ｄを参照して説明すると、ＵＥ４７１は、前記ＳＨＯ領域に進入する場合、前記ＰＤＳＣＨのために別途のＦＢＩフィールド＃２を追加的に前記ＵＬ＿ＤＰＣＣＨに生成して前記ノードＢ１（４６１）へ伝送する。つまり、前記ＵＥ４７１は、２つの相違する加重値を計算して、それぞれ前記ＵＬ＿ＤＰＣＨ内に前記ＤＰＣＨのためのＦＢＩフィールド＃１及び前記ＰＤＳＣＨのためのＦＢＩフィールド＃２を通して伝送する。前記ＦＢＩフィールドを追加的に生成する方法は、ＴＤＭ／ＣＤＭ／ＦＤＭ／ａｄｄｉｔｉｏｎａｌ ｏｒ ｆｉｅｌｄ ｍｏｄｉｆｙｉｎｇ方法などがある。前記ＰＤＳＣＨを受信するＵＥが低速であるという特性から、ＴＤＭを使用することが望ましい。
【００４０】
ＴＤＭ多重化によって前記ＦＢＩフィールドを前記ＦＢＩフィールド＃１及び前記ＦＢＩフィールド＃２に区分する方法は、表５のようである。表４に示すような従来の方法においては、１つのＦＢＩフィールドを使用するので、前記加重値シンボルのＩ及びＱ値を２つのスロット単位で交互に伝送する。しかしながら、本発明の好適な実施形態による表６に示すように、２つのシンボルを連続してＩ０、Ｉ１、Ｑ０、Ｑ２のような方法によって伝送する。ここで、Ｉ０＋Ｑ０は、前記ＤＬ＿ＤＰＣＨのＴｘＡＡ加重値シンボルであり、Ｉ１＋Ｑ１は、前記ＰＤＳＣＨのＴｘＡＡ加重値シンボルである。表５において、前記ＤＬ＿ＤＰＣＨの加重値情報と前記ＰＤＳＣＨの加重値情報の比が１：１であると仮定する。前記比は、動作モード及びチャネル環境によって変化する。さらに、表６は、前記ＰＤＳＣＨのＦＢＩフィールドを利用して、相違するノードのＢの加重値を伝送する時に使用されるスロットフォーマットを示す。この場合、前記ＵＬ＿ＤＰＣＣＨに前記ＴｘＡＡ加重値を伝送するためのフィールドを追加的に設定する必要がある。前記追加的なフィールドは、ＳＳＤＴフィールド（ＦＢＩのＳフィールド）またはパイロットフィールドを使用して具現される。
【００４１】
【表４】
2004511953.tif 000006
【表５】
2004511953.tif 000007
【表６】
2004511953.tif 000008
【００４２】
本発明の第４実施形態において、前記ＵＥ４７１の転換動作を前記ＳＨＯで前記ＰＤＳＣＨ受信時点において情報テーブルで示すと、表７に示すように、ノードＢ１（４６１）及びノードＢ２（４６３）の両方ともによって伝送される前記ＤＬ＿ＤＰＣＨのためのＦＢＩ１、及び前記ノードＢ１（４６１）のみによって伝送される前記ＰＤＳＣＨのためのＦＢＩ２をＴＤＭ／ＣＤＭ／ＦＤＭ／ａｄｄｉｔｉｏｎａｌ ｏｒ ｆｉｅｌｄ ｍｏｄｉｆｙｉｎｇ方法を使用して付加的にフィードバックする。さらに、前記ＰＤＳＣＨの伝送が終了した後、前記ＤＰＣＨのみを受信する場合、前記ＵＥは、前記ＰＤＳＣＨ伝送の以前の状態に復帰する。
【００４３】
【表７】
2004511953.tif 000009
【００４４】
図４Ｅを参照して説明すると、ＵＥ４９１が前記ＳＨＯ領域に入る場合、つまり、ノードＢ１（４８１）によって伝送される前記ＰＤＳＣＨが前記ＳＨＯ領域に入る時、前記ＰＤＳＣＨに対する伝送加重値の適用方式は既存の方式と同一に動作するが、ＳＳＤＴシグナリングを使用して１次ノードＢであるかを判別し、さらに、前記ＰＤＳＣＨ伝送電力を増加させて伝送するか、そのまま維持させて伝送するかを決定する。勿論、従来の方法においては、伝送ダイバーシティ（Ｔｘ Ｄｉｖｅｒｓｉｔｙ）の加重値は、既存の方式と同一に２つのノードＢでＤＬ＿ＤＰＣＨだけでなく前記ＰＤＳＣＨによって使用される。
【００４５】
前記ＳＳＤＴシグナリングは、前記ＳＳＤＴが使用される時だけでなく、前記ＰＤＳＣＨを含む前記ＤＬ＿ＤＰＣＨが前記ＳＨＯ領域に入る時も使用されるべきである。前記ＳＳＤＴシグナリングを通して１次セル情報を受信すると、前記ノードＢ１（４８１）は、前記伝送電力を増加させずに前記ＰＤＳＣＨを伝送する。非１次セル情報を受信すると、前記ノードＢ１（４８１）は、前記ＰＤＳＣＨに電力オフセット（ｏｆｆｓｅｔ）を適用して伝送する。前記伝送電力オフセットは、前記ＰＤＳＣＨが前記ＴｘＡＡ方式を使用する場合より高い伝送電力オフセットが使用される。結論的に、前記ＰＤＳＣＨの伝送ダイバーシティモードによって、前記ＳＡ方式のための伝送電力オフセット、前記ＳＴＴＤ方式のための伝送電力オフセット、及び前記ＴｘＡＡ方式のための伝送電力オフセットが独立的な値を有するように設定されるべきである。
【００４６】
以下、前記ＳＳＤＴの動作原理を説明する。前記ＳＳＤＴは、前記ＳＨＯ領域に位置する前記ＵＥ４９１が自分の活性集合内のそれぞれのノードＢ、つまり、前記ノードＢ１（４８１）及び前記ノードＢ２（４８３）に対して臨時識別子（Ｔｅｍｐｏｒａｒｙ Ｉｄｅｎｔｉｆｉｃａｔｉｏｎ）を割り当てた後、前記ノードＢのうち前記ＵＥ４９１の受信信号品質を最も満足させるノードＢを選択する。前記選択されたノードＢ、例えば、ノードＢ１（４８１）のみが前記ＵＥ４９１に前記ＤＬ＿ＤＰＤＣＨを伝送し、前記選択されたノードＢ１（４８１）以外のノードＢ２（４８３）が前記ＵＥ４９１に前記ＤＬ＿ＤＰＣＣＨのみを伝送することによって、前記活性集合内の全てのノードＢが前記ＳＨＯを支援するための動作を遂行する時に発生する干渉信号の量を低減させる。前記ＳＳＤＴにおいて、前記ＤＬ＿ＤＰＤＣＨを伝送するノードＢを１次ノードＢと称し、前記１次ノードＢは、前記ＵＥ４９１によって測定される情報によって周期的に更新される。前記１次ノードＢを更新するために、前記ＵＥ４９１は、前記１次ノードＢの臨時識別子を前記活性集合内のその他のノードＢに伝送する。
【００４７】
図４Ｅを参照して、前記ＳＳＤＴシグナリングを使用して前記伝送ダイバーシティ（Ｔｘ Ｄｉｖｅｒｓｉｔｙ）方式が適用されるＰＤＳＣＨの送信電力を制御する方法を詳細に説明する。前記ＵＥ４９１は、前記ノードＢ１（４８１）及び前記ノードＢ２（４８３）からそれぞれＣＰＩＣＨを受信すると、前記受信されたＣＰＩＣＨのパイロット信号強度を比較した後、前記比較結果によって１次ノードＢを決定する。さらに、前記ＵＥ４９１は、前記決定された１次ノードＢに対して予め設定された臨時識別子をその他のノードＢ、つまり、前記ノードＢ２（４８３）に伝送する。図４Ｅにおいて、前記ノードＢ１（４８１）は、前記ＵＥ４９１に前記ＤＬ＿ＤＰＣＨ及び前記ＰＤＳＣＨを伝送するノードＢであり、前記ノードＢ２（４８３）は、前記活性集合に新しく含まれたノードＢで、前記ＵＥ４９１に前記ＤＬ＿ＤＰＣＨのみを伝送する。
【００４８】
前記ＵＥ４９１が前記１次ノードＢに対する前記臨時識別子を送信する場合、前記ノードＢ１（４８１）は、前記ＤＬ＿ＤＰＣＨのＴＰＣビットを適用することによって前記ＰＤＳＣＨの送信電力を決定し、前記ＴｘＡＡ加重値による影響が最小であるとみなして一般的な伝送電力で信号を伝送する。つまり、前記ＵＥ４９１によって伝送された前記ＴＰＣビットによって前記ＰＤＳＣＨの伝送電力の増加または減少が決定される。結果的に、前記ノードＢ１（４８１）が前記１次ノードＢになる場合、前記ＰＤＳＣＨのＴｘＡＡ動作を含む伝送電力の制御動作は、前記ＵＥ４９１が前記ＳＨＯ領域に位置しない場合と同一に遂行される。
【００４９】
前記１次ノードＢとして動作した前記ノードＢ１（４８１）が２次（ｓｅｃｏｎｄａｒｙ）ノードＢとして決定され、前記２次ノードＢとして動作した前記ノードＢ２（４８３）が１次ノードＢとして決定される場合、前記ノードＢ１（４８１）は、前記ＵＥ４９１からの距離が遠くなっているか、または、チャネル環境が悪いと推定し、前記ＰＤＳＣＨの伝送電力に固定された伝送電力オフセットを適用して前記ＵＥ４９１に伝送する。次に、前記１次ノードＢの情報が更新される周期の間に、前記ＵＥ４９１によって伝送される前記ＴＰＣビットによって前記ＰＤＳＣＨの送信電力を調節する。しかしながら、前記ＴｘＡＡ方式が前記ＳＨＯ領域内の前記ＰＤＳＣＨのために使用される場合、前記固定された伝送電力オフセットは前記ダイバーシティモードによって異なる値が使用されるべきである。
【００５０】
次に、本発明の第６実施形態による伝送ダイバーシティ制御方法を説明する。本発明の第６実施形態において、前記ＰＤＳＣＨを受信するＵＥが前記ＳＨＯ領域に存在し、前記ＰＤＳＣＨを伝送するノードＢが前記閉ループ伝送アンテナダイバーシティを使用して前記ＰＤＳＣＨを伝送する場合、前記ＵＥは、新しいＵＬ＿ＤＰＣＣＨを追加的に割り当てる。ここで、説明の便宜のため、前記ＵＥが最初に前記ＰＤＳＣＨを使用する時に前記ノードＢに伝送されるＵＬ＿ＤＰＣＣＨを“ＵＬ＿ＤＰＣＣＨ１”と称し、前記ＵＥが前記ＳＨＯ領域に位置する時に新しく追加されるＵＬ＿ＤＰＣＣＨを“ＵＬ＿ＤＰＣＣＨ２”と称する。
【００５１】
３世代移動通信標準案であるＷ−ＣＤＭＡ方式によって、前記ＵＥによって使用される前記ＵＬ＿ＤＰＣＣＨは、ＳＦ＝２５６のＯＶＳＦ（Ｏｒｔｈｏｇｏｎａｌ Ｖａｒｉａｂｌｅ Ｓｐｒｅａｄｉｎｇ Ｆａｃｔｏｒ：以下、ＯＶＳＦと称する）符号２５６個のうち第１ＯＶＳＦ符号、つまり、全て符号ビットが１であるＯＶＳＦ符号で拡散され、前記ＵＥによってＱ−チャネルを通して伝送されるように規定されている。前記Ｑ−チャネルを通して前記ＵＬ＿ＤＰＣＣＨが伝送される理由は、Ｗ−ＣＤＭＡ方式によって、前記ＵＥが呼設定の後に伝送するアップリンクデータを有しない場合も前記ＵＬ＿ＤＰＣＣＨを持続的に送信するようにして、前記アップリンク信号の不連続的な送信を防止ことによって、電磁気干渉を防止することである。前記ＵＬ＿ＤＰＣＣＨとともに伝送される前記ＵＬ＿ＤＰＤＣＨは、４乃至２５６の拡散率を使用することができる。前記ＵＬ＿ＤＰＤＣＨは、最大６個まで伝送されることができる。前記６個のＵＬ＿ＤＰＤＣＨが全部使用される場合は、拡散率ＳＦ＝４が使用されて、３つのＵＬ＿ＤＰＤＣＨはＩ−チャネルを通して伝送され、残りの３つのＵＬ＿ＤＰＤＣＨはＱ−チャネルを通して伝送される。前記Ｉ−チャネルを通して受信されるデータ及び前記Ｑ−チャネルを通して受信されるデータは、前記受信器において独立して解析することができるので、前記Ｉ−チャネル及びＱ−チャネルにおいて同一のＯＶＳＦ符号を使用することによって発生する前記ＵＬ＿ＤＰＤＣＨ間の影響はない。前記ＵＥは、新しいＵＬ＿ＤＰＣＣＨを追加的に使用することにおいて、前記ＵＬ＿ＤＰＣＣＨのために使用される前記ＯＶＳＦ符号を多様な方法によって決定することができる。
【００５２】
第１例として、前記現在のＵＬ＿ＤＰＣＣＨ、つまり、ＵＬ＿ＤＰＣＣＨ１が設定されている場合、全て符号ビットが１であり、ＳＦ＝２５６の基本的に使用されるＯＶＳＦ符号は、新しく割り当てられたＵＬ＿ＤＰＣＣＨ、つまり、ＵＬ＿ＤＰＣＣＨ２に割り当てられてＩ−チャネルを通して伝送される。第２例としては、前記新しく割り当てされる前記ＵＬ＿ＤＰＣＣＨ２に使用される前記ＯＶＳＦ符号として、前記ＵＥによって現在使用される前記ＵＬ＿ＤＰＣＣＨと同一のＯＶＳＦブランチ（ｂｒａｎｃｈ）において生成される前記ＯＶＳＦ符号のいずれかを選択する。第３例として、前記新しく割り当てられるＵＬ＿ＤＰＣＣＨ２に使用される前記ＯＶＳＦ符号のＳＦを１２８に変更する。
【００５３】
前述したように、前記ＰＤＳＣＨを受信するＵＥが２つのＵＬ＿ＤＰＣＣＨを使用する前記閉ループアンテナダイバーシティ方式を使用して前記ダウンリンクチャネルを伝送するノードＢと通信する場合、前記ＵＥと前記ノードＢとの間の通信は下記のように遂行される。前記ＵＥは、前記ＳＨＯ領域に位置する以前に使用された前記ＵＬ＿ＤＰＣＣＨ、つまり、前記ＵＬ＿ＤＰＣＣＨ１のＦＢＩフィールドを通して、前記ＵＥが前記ＳＨＯ領域に入ることによって生成される前記ＵＥの活性集合内のノードＢによって伝送されるＤＬ＿ＤＰＣＨの閉ループアンテナ利得を調整するフィードバック情報を伝送し、新しく使用されるＵＬ＿ＤＰＣＣＨ、つまり、ＵＬ＿ＤＰＣＣＨ２のＦＢＩフィールドを通しては、前記ＰＤＳＣＨのみのためのフィードバック情報を前記ＰＤＳＣＨを伝送するノードＢに伝送することによって、前記ＰＤＳＣＨのそれぞれのアンテナ伝送利得を適切に調節する。結果的に、前記ＵＥは、前記ＰＤＳＣＨを受信する間に閉ループアンテナダイバーシティ利得を十分に得ることができる。前述したように、前記ＵＬ＿＿ＤＰＣＣＨ１をＤＬ＿ＤＰＣＨのアンテナ伝送パラメータを調節するためのフィードバック情報を伝送するのに使用することができる。さらに、新しく使用されるＵＬ＿ＤＰＣＣＨ２のＦＢＩフィールドを通して前記ＤＬ＿ＤＰＣＨのアンテナ伝送パラメータを調節するためのフィードバック情報を伝送することもできる。
【００５４】
前記のように、前記ＰＤＳＣＨのためのフィードバック情報及び前記ＤＬ＿ＤＰＣＨのためのフィードバック情報を別々に伝送する場合、前記ＰＤＳＣＨのためのフィードバック情報は、前記ＰＤＳＣＨを伝送するノードＢからのＣＰＩＣＨの測定、前記ＤＬ＿ＤＰＣＨのパイロットフィールドの測定、または、前記ＰＤＳＣＨの直接測定によって生成することができる。さらに、前記ＤＬ＿ＤＰＣＨのためのフィードバック情報は、前記ＵＥの活性集合内のそれぞれのノードＢから伝送されるＣＰＩＣＨ信号を合計して最適のアンテナ利得パラメータに基づいて生成することができる。
【００５５】
図４Ｆを参照すると、現在前記ＰＤＳＣＨが連結されている第１ノードＢが１次ノードＢである場合、前記第１ノードＢから受信される前記ＣＰＩＣＨの受信電力レベルによって、前記ＴｘＡＡに適用される加重値が決定されるので、加重値素子ａ１及びａ２は全て‘１’に設定される。前記第１ノードＢが１次ノードＢでない場合、前記ＰＤＳＣＨに使用される前記ＴｘＡＡ加重値の信頼度を高めるために、加重値素子ａ１及びａ２（ここで、ａ１＞ａ２）で前記ＣＰＩＣＨ値を加重してＴｘＡＡ加重値決定装置４９５に提供する。前記ＴｘＡＡ加重値決定装置４９５は、全ての活性集合内のセルに提供される前記加重値を状況によって生成する。前記のように提案されたＴｘＡＡ方式を使用する前記ＰＤＳＣＨを受信するＵＥによるＴｘＡＡチャネル測定動作は、式１によって表現される。
【００５６】
（式１）
Ｐ＝（ａ１｜ ｜Ｈ１ｗ｜ ｜）２＋（ａ２｜ ｜Ｈ２ｗ｜ ｜）２
式１において、Ｈｉはチャネルマトリックス（ｃｈａｎｎｅｌ ｍａｔｒｉｘ）であり、ｗはアンテナ加重値であり、ａｉはノードＢ別の加重値素子である。（ここで、ｉは前記ノードＢのＩＤ番号を示す）
【００５７】
図５は、図４Ａに示す伝送ダイバーシティ制御の手順を示すフローチャートである。図５を参照すると、前記ＵＥ４１１が前記ノードＢ１（４０１）と通信している状態、つまり、前記ＵＥ４１１がＳＨＯ領域外で一般通信を遂行している状態（段階５００）において、前記ＵＥ４１１は、前記ノードＢ１（４０１）から受信されるＰＤＳＣＨを含む前記ＤＬ＿ＤＰＣＨ及び前記ＰＤＳＣＨがＴｘＡＡモードで動作するか否かを検査する（段階５０３）。前記検査結果によって、前記ＰＤＳＣＨ及び前記ＤＬ＿ＤＰＣＨが前記ＴｘＡＡモードで動作しない場合、前記ＵＥ４１１は、段階５００に戻る。しかしながら、前記検査結果によって、前記ＰＤＳＣＨ及び前記ＤＬ＿ＤＰＣＨがＴｘＡＡモードで動作する場合、前記ＵＥ４１１は、自分が前記ＳＨＯ領域に位置しているか否かを検査する（段階５０５）。前記ＵＥ４１１が前記ＳＨＯ領域外に位置していると判断される場合、前記ＵＥ４１１は段階５００に戻る。しかしながら、前記ＵＥ４１１が前記ＳＨＯ領域に位置している場合、前記ＵＥ４１１は、ノードＢ２（４０３）、つまり、現在通信している前記ノードＢ１（４０１）以外のノードＢの前記ＤＬ＿ＤＰＣＨが前記活性集合内に追加されているか否かを検査する（段階５０７）。
【００５８】
前記ノードＢ２（４０３）のＤＬ＿ＤＰＣＨが前記活性集合内に追加されていないと判断される場合、前記ＵＥ４１１は、段階５１３に進行する。逆に、前記ノードＢ２（４０３）のＤＬ＿ＤＰＣＨが前記活性集合内に追加された場合、前記ＵＥ４１１は、前記ＤＬ＿ＤＰＣＨが前記活性集合内に追加されたノードＢが前記モードで動作することができるか否かを検査する（段階５０９）。前記ＤＬ＿ＤＰＣＨが前記活性集合内に追加されたノードＢが前記ＴｘＡＡモードで動作することができないと判断される場合、前記ＵＥ４１１は、段階５１３に進行する。しかしながら、前記ＤＬ＿ＤＰＣＨが前記活性集合内に追加されたノードＢが前記ＴｘＡＡモードで動作することができる場合、前記ＵＥ４１１は、前記ＤＬ＿ＤＰＣＨが前記活性集合内に追加されたノードＢが前記ＴｘＡＡモードの代わりにＳＴＴＤまたはＳＡモードを使用するようにする（段階５１１）。次に、前記ＵＥ４１１は、前記ＰＤＳＣＨがハンドオーバーされているか否かを検査する（段階５１３）。前記ＰＤＳＣＨがハンドオーバーされていないと判断される場合、前記ＵＥ４１１は、段階５１９に進行する。逆に、前記ＰＤＳＣＨがハンドオーバーされている場合、前記ＵＥ４１１は、前記ノードＢ１（４０１）がＴｘＡＡモードを使用するか否かを検査する（段階５１５）。
【００５９】
前記ノードＢ１（４０１）が前記ＴｘＡＡモードを使用しない場合、前記ＵＥ４１１は、段階５１８に進行する。しかしながら、前記ノードＢ１（４０１）が前記ＴｘＡＡモードを使用する場合、前記ＵＥ４１１は、前記ノードＢ１（４０１）のＴｘＡＡモードをＳＴＴＤまたはＳＡモードに変換する（段階５１７）。それから、前記ＵＥ４１１は、前記ノードＢ２（４０３）が前記ＴｘＡＡモードを使用することができるか否かを検査する（段階５１９）。前記ノードＢ２（４０３）が前記ＴｘＡＡモードを使用することができない場合、前記ＵＥ４１１は、段階５００に戻る。しかしながら、前記ノードＢ２（４０３）が前記ＴｘＡＡモードを使用することができる場合、前記ＵＥ４１１は、前記ノードＢ２（４０３）のＴｘＡＡモードを開始させてからその動作を終了する。
【００６０】
図６は、図４Ａに示す伝送ダイバーシティ制御手順を遂行するＵＥの構造を示す図である。図６を参照すると、前記ＵＥ４１１に受信される信号は、アンテナ７０１を通して受信されてダウンコンバータ（ｄｏｗｎ ｃｏｎｖｅｒｔｅｒ）７０２に出力される。前記ダウンコンバータ７０２は、前記受信信号を合成された周波数ｆｃとミキシングしてダウンコンバーティングして低域通過フィルタ（Ｌｏｗ Ｐａｓｓ Ｆｉｌｔｅｒ： ＬＰＦ）７０３に出力する。前記低域通過フィルタ７０３は、前記ダウンコンバータ７０２から出力されたダウンコンバーティングされた信号をフィルタリングし、前記フィルタリングされた基底帯域信号をアナログ／デジタル変換器（Ａ／Ｄ Ｃｏｎｖｅｒｔｅｒ）７０４に出力する。前記アナログ／デジタル変換器７０４は、前記低域通過フィルタ７０３から出力されたアナログ基底帯域信号をデジタル信号に変換し、前記デジタル変換された信号をフィンガー＃１に提供する。
【００６１】
前記フィンガー＃１において、共通処理器（Ｃｏｍｍｏｎ Ｐｒｏｃｅｓｓｏｒ）７０５は、前記アナログ／デジタル変換器７０４から出力されたデジタル信号を前記ＴｘＡＡモード及び前記ＳＴＴＤモードで共通に処理してスイッチ７０６に出力する。前記スイッチ７０６は、伝送アンテナダイバーシティモード選択制御器（Ｔｒａｎｓｍｉｔ Ｄｉｖｅｒｓｉｔｙ ｍｏｄｅ ｓｅｌｅｃｔｉｏｎ ｃｏｎｔｒｏｌｌｅｒ）（または、ＳＨＯに位置している間のＤＬ＿ＤＰＣＨ／ＰＤＳＣＨのための伝送アンテナダイバーシティモード選択制御器）７１０の制御によって、前記共通処理器７０５の出力をＴｘＡＡモード処理器７０７またはＳＴＴＤ／ＳＡモード処理器７０８にスイッチングし、前記ＴｘＡＡモード処理器７０７及び前記ＳＴＴＤ／ＳＡモード処理器７０８から出力された前記スイッチングされた信号はデジタル信号処理器（Ｄｉｇｉｔａｌ Ｓｉｇｎａｌ Ｐｒｏｃｅｓｓｏｒ： ＤＳＰ）７０９に出力される。ここで、前記伝送アンテナダイバーシティモード制御器７１０は、図５に示すアルゴリズムによって動作する。図６において、フィンガー＃２及びフィンガー＃３の動作はフィンガー＃１の動作と同一である。前記ＤＳＰ７０９は、前記ＴｘＡＡモード処理器７０７または前記ＳＴＴＤ／ＳＡモード処理器７０８から出力される結果を利用して、前記ＵＥ４１１が必要とするサービスのためのデータをデジタル処理して上位階層に伝送する。
【００６２】
図７は、図４Ｄに示す伝送ダイバーシティ制御手順を遂行するためのＵＥの構造を示す図である。図７を参照すると、エア（ａｉｒ）上の無線信号はアンテナ８０１を通して受信されてダウンコンバータ８０２に出力される。前記ダウンコンバータ８０２は、前記アンテナ８０１を通して出力された信号と予め設定された合成の周波数ｆｃを乗算することによって前記受信された無線信号をダウンコンバーティングしてＬＰＦ８０３に出力する。前記ＬＰＦ８０３は、前記ダウンコンバータ８０２から出力された信号を低周波帯域にフィルタリングした後、前記低周波フィルタリングされたアナログ信号をＡ／Ｄ変換器８０４に出力する。前記Ａ／Ｄ変換器８０４は、前記ＬＰＦ８０３から出力されたアナログ信号をデジタル信号に変換した後、前記変換されたデジタル信号を第１フィンガー（Ｆｉｎｇｅｒ＃１）及び第２フィンガー（Ｆｉｎｇｅｒ＃２）に出力する。ここで、前記第１フィンガーは、前記ノードＢ１（４６１）から受信される信号を処理し、前記第２フィンガーは、前記ノードＢ２（４６３）から受信される信号を処理する。
【００６３】
前記第１フィンガーにおいて、前記デスクランブラ（ｄｅｓｃｒａｍｂｌｅｒ）８０５は、前記Ａ／Ｄ変換器８０４の出力信号を前記ノードＢ１（４６１）に対応するスクランブリングコードＣＳＣ，２と乗算してデスクランブリングする。逆拡散器（ｄｅｓｐｒｅａｄｅｒ）８０６は、前記デスクランブラ８０５の出力信号を前記ノードＢ１（４６１）に対応する拡散コードＣＳＰ，１と乗算して逆拡散する。累算器８０７は、前記逆拡散器８０６の出力信号を累積して加重値生成器８１１に出力する。前記加重値生成器８１１は、前記累算器８０７から出力される信号によってＳＩＮＲを最大化する加重値ｗＡ＝ａｒｇｍａｘ｜｜ｗＴｈＡ｜｜２を計算する。
【００６４】
前記第２フィンガーにおいて、前記デスクランブラ８０８は、前記Ａ／Ｄ変換器８０４の出力信号と前記ノードＢ２（４６３）に対応するスクランブリングコードＣＳＣ，２を乗算してデスクランブリングする。第２逆拡散器８０９は、前記デスクランブラ８０８の出力信号と前記ノードＢ２（４６３）に対応する拡散コードＣＳＰ，２を乗算して逆拡散する。累算器８１０は、前記乗算器８０９の出力信号を累積して加算器８１２に出力する。前記加算器８１２は、前記累算器８０７の出力信号と前記累算器８１０の出力信号を加算して加重値生成器８１３に提供する。前記加重値生成器８１３は、前記加算器８１２から出力される信号によってＳＩＮＲを最大化する加重値ｗＡＢ＝ａｒｇｍａｘ｜｜ｗＴｈＡＢ｜｜２を計算する。
【００６５】
図８は、図４Ｄに示す伝送ダイバーシティ制御手順を遂行するためのノードＢの構造を示す図である。図８を参照すると、ＵＥ４７１から第１アンテナ（ＡＮＴ１）８５９及び第２アンテナ（ＡＮＴ２）８６０を通して受信されるエア上の無線信号は、逆多重化器（ＤＥＭＵＸ）８５２に出力される。前記ＤＥＭＵＸ８５２は、前記第１及び第２アンテナ８５９及び８６０を通して受信される無線信号のＤＰＣＣＨ信号からフィードバック情報（ＦＢＩ）を検出し、前記検出されたフィードバック情報を加重値発生器８５１に出力する。前記加重値発生器８５１は、前記ＤＥＭＵＸ８５２から出力されたフィードバック情報に基づいて入力ビットを適切に組み合わせることによって、ｗ＝｜ｗ｜ｅｘｐ（ｊ）のようなコンプレックスフローティングポイント（ｃｏｍｐｌｅｘ ｆｌｏａｔｉｎｇ ｐｏｉｎｔ）の加重値、つまり、ｗ１１、ｗ１２、ｗ２１、ｗ２２を生成し、前記生成された加重値ｗ１１、ｗ１２、ｗ２１、ｗ２２をそれぞれ乗算器８５５、８５６、８６３、及び８６４に出力する。
【００６６】
一方、多重化器（ＭＵＸ）８５３は、ＤＰＤＣＨ信号及びＤＰＣＣＨ信号をＤＰＣＨ信号に多重化して乗算器８５４に出力する。前記乗算器８５４は、前記ＭＵＸ８５３から出力される前記ＤＰＣＨ信号を前記ノードＢ１（４６１）に対する拡散及びスクランブリングコードと乗算して乗算器８５５及び乗算器８５６に出力する。前記乗算器８５５は、前記加重値発生器８５１から出力された加重値ｗ１１と前記乗算器８５４の出力信号を乗算して加算器８５７に出力する。前記乗算器８５６は、前記加重値発生器８５１から出力された加重値ｗ１２と前記乗算器８５４の出力信号を乗算して加算器８５８に出力する。
【００６７】
さらに、乗算器８６２は、ＰＤＳＣＨ信号を前記ノードＢ１（４６１）に対する拡散及びスクランブリングコードと乗算して乗算器８６３及び乗算器８６４に出力する。前記乗算器８６３は、前記乗算器８６２の出力信号を前記加重値発生器８５１から出力された加重値ｗ２１と乗算して前記加算器８５７に出力する。前記乗算器８６４は、前記乗算器８６２の出力信号を前記加重値発生器８５１から出力された加重値ｗ２２と乗算して前記加算器８５８に出力する。
【００６８】
前記加算器８５７は、前記乗算器８５５からの出力信号、前記乗算器８６３からの出力信号、及び第１共通パイロットチャネル信号（ＣＰＩＣＨ１）を加算して前記第１アンテナ８５９を通して伝送する。前記加算器８５８は、前記乗算器８５６からの出力信号、前記乗算器８６４からの出力信号、及び第２共通パイロットチャネル信号（ＣＰＩＣＨ２）を加算して前記第２アンテナ８６０を通して伝送する。従って、前記ＵＥ４７１から受信されるＵＰ＿ＤＰＣＣＨ信号のフィードバック情報に基づいて前記ＤＬ＿ＤＰＣＨ信号及び前記ＰＤＳＣＨ信号の加重値を差別化して伝送することができる。
【００６９】
一方、図４Ａ乃至図４Ｆにおいて、ＦＣＳ（Ｆａｓｔ Ｃｅｌｌ Ｓｅｌｅｃｔｉｏｎ）情報を利用してモードの転換を遂行する場合、前記ＦＣＳを支援する拡張ＰＤＳＣＨ（Ｅｎｈａｎｃｅｄ ＰＤＳＣＨ：以下、Ｅ−ＰＤＳＣＨと称する）は下記のように動作する。ここで、前記ＦＣＳは、前記ＵＥがどのノードＢからデータを受信するかを決定して、該当情報をノードＢに提供する。従って、前記ＵＥは、前記ＦＣＳによって前記Ｅ−ＰＤＳＣＨを伝送するノードＢを決定すると、前記Ｅ−ＰＤＳＣＨサービングセルに適する加重値を生成した後、前記ＦＢＩを利用して前記Ｅ−ＰＤＳＣＨサービングセルに伝送する。つまり、前記ＳＨＯ領域において、前記ＵＥは、伝送開始時点に関する情報を含むＴＦＣＩビットを前記Ｅ−ＰＤＳＣＨサービングセルから受信することによって、前記Ｅ−ＰＤＳＣＨが伝達される時点を予め認知するので、前述した方式、つまり、図４Ａ乃至図４Ｆの方式に転換することができる。言い換えると、前記ＵＥによって決定されたノードＢによって、加重値を計算するターゲットノードＢが動的に変化する。
【００７０】
例えば、前記ＦＣＳ情報を参照して同一のノードＢから２つ以上のフレームのＥ−ＰＤＳＣＨデータを連続して受信する場合、前記ＵＥは、前記ＴｘＡＡ ＦＢＩのＦＳＭ（Ｆｉｎｉｔｅ Ｓｔａｔｅｓ Ｍａｃｈｉｎｅ：一種のシフトレジスタ）ビット情報を最初のビットから伝送するのではなく、以前のビット位置の次のビットから伝送することができる。前記ＵＥは、セルを変更するか、直前のフレームの受信に失敗すると、最初ビットから前記ＦＳＭビットを再伝送する。しかしながら、前記ＵＥは、３ＧＰＰ（または、ＵＭＴＳ Ｗ−ＣＤＭＡ）のモード１（Ｍｏｄｅ＃１）のように同一のフォーマットで前記ＦＭＳビット情報を単純に伝送する時、前記セルが前記ＦＣＳに基づいて決定されるか否かに関係なく前記ＦＢＩのＦＳＭビットを連続して伝送することができる。さらに、前記Ｅ−ＰＤＳＣＨ及び一般ＰＤＳＣＨの両方が前記ＳＨＯ領域で前記Ｅ−ＰＤＳＣＨ及び前記ＰＤＳＣＨによって伝達される情報を利用する場合、前記Ｅ−ＰＤＳＣＨ及び前記ＰＤＳＣＨは、前記ＴｘＡＡが必要とする前記ＦＢＩの伝達のためのスロットの数によって動作すべきである。
【００７１】
図９は、本発明の第７実施形態による伝送時点を基準にしてＰＤＳＣＨ／Ｅ−ＰＤＳＣＨを伝送する過程を示す図である。図９を参照すると、前記ＴｘＡＡモードを支援するノードＢ間の前記ＳＨＯ領域において、前記ＵＥは、一般的なＤＰＣＨ ＴｘＡＡモードを遂行する（段階９１１）。前記ＵＥが前記ＳＨＯ領域に入ると、前記ＵＥは、前記ＤＰＣＨ ＴｘＡＡモードで前記ノードＢから前記ＰＤＳＣＨ／Ｅ−ＰＤＳＣＨが受信されるか否かを検査する（段階９１３）。前記ノードＢから前記ＰＤＳＣＨ／Ｅ−ＰＤＳＣＨが受信されない場合、前記ＵＥは、一般的なＤＰＣＨ ＴｘＡＡモードを遂行する（段階９１１）。しかしながら、前記ノードＢから前記ＰＤＳＣＨ／Ｅ−ＰＤＳＣＨが受信される場合、前記ＵＥは、前記ＦＣＳによって良好のチャネル状態のノードＢを繰り返して選択することによって、信頼度を高め、検査時間を最小化する。つまり、前記ＳＨＯ領域において、前記ＵＥは、前記ＦＣＳを利用して、信号が受信される複数のノードＢのうち最良のチャネル状態のノードＢを繰り返して選択することによって、最良のチャネル状態のノードＢを選択する。前記ＰＤＳＣＨ／Ｅ−ＰＤＳＣＨを受信すると、前記ＵＥは、時間的に順次にデータが前記同一のノードＢから受信されるか否かを確認する（段階９１５）。前記データが同一のノードＢから時間的に順次に受信される場合、前記ＵＥは、２ビットを使用するモード１（Ｍｏｄｅ＃１）においてＴｘＡＡ ＦＢＩ ＦＳＭ（Ｆｉｎｉｔｅ Ｓｔａｔｅｓ Ｍａｃｈｉｎｅ）インデックスを維持し、４ビットを使用するモード２（Ｍｏｄｅ＃２）において前記ＴｘＡＡ ＦＢＩ ＦＳＭインデックスを‘０’に初期化する（段階９１７）。前記データが同一のノードＢから時間的に順次に受信される場合、前記ＵＥは、以前の結果を基準にして新しいデータ出力を適用する。しかしながら、前記データが同一のノードＢから受信されないか、時間的に遅延して受信される場合、前記ＵＥは、所定のオフセット、または、以前に他のノードＢに適用された結果を基準にして新しい結果値を適用した後、前記ＰＤＳＣＨ／Ｅ−ＰＤＳＣＨ追加、生成、及びフィードバック、または、前記ＴｘＡＡモードと前記ＳＴＴＤ／ＳＡモードとの間に前記ＰＤＳＣＨ／Ｅ−ＰＤＳＣＨモード転換を遂行する（段階９１９）。次に、前記ＵＥは、前記ＰＤＳＣＨ／Ｅ−ＰＤＳＣＨの伝送−受信が終了しているか否かを検査する（段階９２１）。前記ＰＤＳＣＨ／Ｅ−ＰＤＳＣＨの伝送−受信が終了した場合、前記ＵＥは、前記ＳＴＴＤまたはＳＡモードから前記ＤＰＣＨ ＴｘＡＡモードに動作モードを変更する（段階９１１）。前記ＰＤＳＣＨ／Ｅ−ＰＤＳＣＨの伝送−受信が終了していない場合、前記ＵＥは、前記ＰＤＳＣＨ／Ｅ−ＰＤＳＣＨが前記ノードＢから受信されるか否かを再び検査する（段階９１３）。
【００７２】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００７３】
【発明の効果】
前述してきたように、本発明は、前記ＳＨＯ領域において、前記ＵＥが前記ＰＤＳＣＨの伝送アンテナアレイを制御することができることによって、適した伝送アンテナ加重値を適用することが可能になる。さらに、前記ＳＨＯ領域において、前記ＵＥが前記Ｅ−ＰＤＳＣＨ／ＰＤＳＣＨの伝送アンテナアレイを制御することができることによって、適した伝送アンテナ加重値を適用することが可能になる。また、前記ＳＨＯ領域において、前記ＵＥが前記ＰＤＳＣＨの伝送アンテナ加重値及び前記ＤＬ＿ＤＰＣＨの伝送アンテナ加重値を差別化して適用することができることによって、従来のＳＨＯ方式によって発生する問題、つまり、前記ＰＤＳＣＨの伝送アンテナ加重値及び前記ＤＬ＿ＤＰＣＨの伝送アンテナ加重値が同一の値を使用するため、適した伝送アンテナ加重値とは相違する加重値が適用されるという問題点を解決する。
【図面の簡単な説明】
【図１Ａ】移動通信システムで使用されるＰＤＳＣＨの構造を示す図である。
【図１Ｂ】前記ＰＤＳＣＨに対応してＵＥに割り当てられるＤＬ＿ＤＰＣＨの構造を示す図である。
【図２】ＰＤＳＣＨが受信するＵＥがソフトハンドオーバー領域に位置する場合、ダウンリンク及びアップリンク信号の流れを示す図である。
【図３】従来のソフトハンドオーバー方式を使用する伝送アンテナアレイの動作を示す図である。
【図４Ａ】本発明の第１実施形態による伝送ダイバーシティ制御過程を示す図である。
【図４Ｂ】本発明の第２実施形態による伝送ダイバーシティ制御過程を示す図である。
【図４Ｃ】本発明の第３実施形態による伝送ダイバーシティ制御過程を示す図である。
【図４Ｄ】本発明の第４実施形態による伝送ダイバーシティ制御過程を示す図である。
【図４Ｅ】本発明の第５実施形態による伝送ダイバーシティ制御過程を示す図である。
【図４Ｆ】本発明の他の実施形態を遂行するための伝送アンテナアレイチャネル測定装置の内部構成を示す図である。
【図５】図４Ａの伝送ダイバーシティ制御過程を示すフローチャートである。
【図６】図４Ａの伝送ダイバーシティ制御過程を遂行するＵＥの構造を示す図である。
【図７】図４Ｄの伝送ダイバーシティ制御過程を遂行するＵＥの構造を示す図である。
【図８】図４Ｄの伝送ダイバーシティ制御過程を遂行するノードＢの構造を示す図である。
【図９】本発明の第７実施形態による伝送時点を基準にしてＰＤＳＣＨ／Ｅ−ＰＤＳＣＨを伝送する過程を示すフローチャートである。
【符号の説明】
４０１，４２１，４４１，４６１…ノードＢ１
４０３，４２３，４４３，４６３…ノードＢ２
４１１，４３１，４５１，４７１…ＵＥ　７０１，８０１…アンテナ
７０２，８０２…ダウンコンバータ
７０３，８０３…低域通過フィルタ（ＬＰＦ）
７０４，８０４…アナログ／デジタル変換器
７０５…共通処理器
７０６…スイッチ
７０７…ＴｘＡＡモード処理器
７０８…ＳＴＴＤ／ＳＡモード処理器
７０９…デジタル信号処理器
７１０…伝送アンテナダイバーシティモード制御器
８０５，８０８…デスクランブラ
８０６…逆拡散器
８０７，８１０…累算器
８０９…第２逆拡散器
８１２，８５７，８５８…加算器
８１３…加重値生成器
８５１…加重値発生器
８５２…逆多重化器（ＤＥＭＵＸ）
８５３…多重化器（ＭＵＸ）
８５４，８５５，８５６，８６２，８６３，８６４…乗算器
８５９…第１アンテナ
８６０…第２アンテナ
【国際公開パンフレット】
2004511953.tif 000010
2004511953.tif 000011
2004511953.tif 000012
2004511953.tif 000013
2004511953.tif 000014
2004511953.tif 000015
2004511953.tif 000016
2004511953.tif 000017
2004511953.tif 000018
2004511953.tif 000019
2004511953.tif 000020
2004511953.tif 000021
2004511953.tif 000022
2004511953.tif 000023
2004511953.tif 000024
2004511953.tif 000025
2004511953.tif 000026
2004511953.tif 000027
2004511953.tif 000028
2004511953.tif 000029
2004511953.tif 000030
2004511953.tif 000031
2004511953.tif 000032
2004511953.tif 000033
2004511953.tif 000034
2004511953.tif 000035
2004511953.tif 000036
2004511953.tif 000037
2004511953.tif 000038
2004511953.tif 000039
2004511953.tif 000040
2004511953.tif 000041
2004511953.tif 000042
2004511953.tif 000043
2004511953.tif 000044
2004511953.tif 000045
2004511953.tif 000046
2004511953.tif 000047
2004511953.tif 000048
2004511953.tif 000049
2004511953.tif 000050
2004511953.tif 000051
2004511953.tif 000052
2004511953.tif 000053
2004511953.tif 000054
2004511953.tif 000055
2004511953.tif 000056
【国際調査報告】
2004511953.tif 000057
2004511953.tif 000058